(57)【要約】【課題】  快適に装用することができ、様々なデザインのメガネフレームに取り付けることが可能であるノーズパッドを提供する。【解決手段】  ノーズパッド１の表面を異なる複数の曲率を用いた曲面を組み合わせて形成することで、使用者の鼻の形状に合わせることができるため、鼻の形状の差にかかわらず、誰にでも快適な装用感が得られる。また、メガネフレームに対するノーズパッド１の接着面積を小さく形成することと、ノーズパッド取付け部３がパッド本体２の長手方向に対して所定の角度をつけて形成されることで、様々なデザインのメガネフレームに、ノーズパッドを取り付けることができる。【選択図】  図１
2006208811.tif 000002
【特許請求の範囲】
【請求項１】
メガネフレームを顔の所定の位置に保持するためのノーズパッドであって、メガネを装用した場合に、表面が鼻に当接するパッド本体と、パッド本体の裏面に一体に形成され、両リムの内側部にパッド本体を取り付けるための、ノーズパッド取付け部とから構成されることを特徴とするノーズパッド。
【請求項２】
前記パッド本体の表面は、曲率の異なる複数の曲面を組み合わせて形成されている請求項１に記載のノーズパッド。
【請求項３】
前記パッド本体の裏面は、曲率の異なる複数の曲面を組み合わせて、凹面に形成されている請求項１または請求項２に記載のノーズパッド。
【請求項４】
前記ノーズパッド取付け部は、リムとの接着面が平面に形成されているとともに、リムの幅内で接着可能となる請求項１から請求項３の何れかに記載のノーズパッド。
【請求項５】
前記ノーズパッド取付け部は、パッド本体の長手方向に対して所定の角度をつけて形成されている請求項１から請求項４の何れかに記載のノーズパッド。
【発明の詳細な説明】
【技術分野】
【０００１】
本発明は、メガネフレームのノーズパッドに関し、特にプラスチック製メガネフレーム用のノーズパッドに関する。
【背景技術】
【０００２】
従来、プラスチック製メガネフレームにおけるノーズパッドは、金属製のパッド足を用いて取り付けられるものや、メガネフレーム本体に直接取り付けられるものが知られている（例えば、特許文献１参照。）。
【特許文献１】特開平１１−１８３８５３号公報
【発明の開示】
【発明が解決しようとする課題】
【０００３】
上記のような構成のノーズパッドにあっては、使用者の鼻の形状に個人差があるため、それぞれの鼻の形状に合うようにノーズパッドの調整をする必要があり、手間がかかっていた。
【０００４】
また、使用者の鼻に当接されるノーズパッドの表面が平面に形成されていたため、長時間の装用では、鼻にノーズパッドが食い込んでしまい、装用感が損なわれていた。
【０００５】
さらに、メガネフレームの形状に合わせて、ノーズパッドを形成するか、若しくは、ノーズパッドの形状に合わせて、メガネフレームを形成していたため、様々な形状のメガネフレームに取り付けることができず、適応できる範囲が限定されていた。
【０００６】
本発明は、上記のような従来の問題を解決したものであって、鼻の形状の差にかかわらず、誰にでも快適な装用感が得られ、様々な形状のメガネフレームに取り付けることが可能で、適応範囲の広いノーズパッドを提供することを目的としている。
【課題を解決するための手段】
【０００７】
上記のような課題を解決するために、本発明の請求項１に係るノーズパッドは、メガネフレームを顔の所定の位置に保持するためのノーズパッドであって、メガネを装用した場合に、表面が鼻に当接されるパッド本体と、パッド本体の裏面に一体に形成され、両リムの内側部にパッド本体を取り付けるための、ノーズパッド取付け部とから構成される手段を採用している。
【０００８】
また、本発明の請求項２に係るノーズパッドは、請求項１に記載のノーズパッドであって、パッド本体の表面は、曲率の異なる複数の曲面を組み合わせて形成される手段を採用している。
【０００９】
さらに、本発明の請求項３に係るノーズパッドは、請求項１または請求項２に記載のノーズパッドであって、パッド本体の裏面は、曲率の異なる複数の曲面を組み合わせて、凹面に形成される手段を採用している。
【００１０】
さらに、本発明の請求項４に係るノーズパッドは、請求項１から請求項３の何れかに記載のノーズパッドであって、ノーズパッド取付け部は、リムとの接着面が平面に形成されているとともに、リムの幅内で接着可能となる手段を採用している。
【００１１】
さらに、本発明の請求項５に係るノーズパッドは、請求項１から請求項４の何れかに記載のノーズパッドであって、ノーズパッド取付け部は、パッド本体の長手方向に対して所定の角度をつけて形成される手段を採用している。
【発明の効果】
【００１２】
本発明は、前記のように、パッド本体の表面を曲率の異なる複数の曲面を組み合わせて形成することで、使用者の鼻の形状に合わせることができるため、鼻の形状の差にかかわらず、誰にでも快適な装用感が得られる。
また、メガネフレームに対するノーズパッドの接着面積を小さくしたことで、様々な形状のリムに取り付けることができ、メガネフレームのデザインによって限定することなく、適応できる範囲が広がる。
さらに、ノーズパッド取付け部がパッド本体の長手方向に対して所定の角度をつけて形成されているので、メガネフレームのデザインにとらわれることなく、パッド本体の角度調整や鼻幅の調整をすることができる。
したがって、ノーズパッドに対するメガネフレームのデザインを大幅に広げることができる。言い換えれば、様々なデザインのメガネフレームに、本発明のノーズパッドを取り付けることが可能である。
【発明を実施するための最良の形態】
【００１３】
以下、図面に示す本発明の実施の形態について説明する。
図１〜図４には、本発明であるノーズパッドの実施の形態が示されており、図１はノーズパッドの平面図、図２はノーズパッドの正面図、図３はノーズパッドの左側面図、図４はノーズパッドが取り付けられたメガネフレームのフロント部の全体図である。なお、図１〜図３に示すノーズパッドは、鼻の右側面用であり、鼻の左側面用のものは図１〜図３に示すものと左右対称となるので、ノーズパッドの左側面用の詳細な説明は省略する。
【００１４】
ノーズパッド１は、シリコン樹脂等の各種の樹脂材から形成されており、ノーズパッド１の外形は、図１に示すように、曲率の異なる複数の曲面４〜１２と、接着面１３とから構成されている。
【００１５】
ノーズパッド１は、図１及び図２に示すように、パッド本体２と、パッド本体２と一体に形成されるノーズパッド取付け部３とを具えている。
【００１６】
ノーズパッド取付け部３は、パッド本体２の曲面４、１２を用いて、パッド本体２から幅方向に突出するように形成されている。また、パッド本体２から突出形成されたノーズパッド取付け部３の端部には、接着面１３が設けられている。
【００１７】
パッド本体２の表面１４は、図２に示すように、幅方向の曲率の異なる複数の曲面１５〜１９と、図３に示すように、長手方向の曲率の異なる複数の曲面２０〜２５とを組み合わせて構成されている。
【００１８】
パッド本体２の裏面２６は、表面１４の形状と略同一の曲面になるように、曲率の異なる複数の曲面で形成され、表面１４からある程度の厚みを保ちながら、パッド本体２の裏面側に凹面状で形成されている。
【００１９】
メガネフレーム２８のフロント部２９は、図４に示すように、一対のリム２７、２７と、両リム２７の内側部間を一体に連結するブリッジ部３０とで構成されている。
【００２０】
ノーズパッド取付け部３の接着面１３は、ある程度の幅と長さを有した略長方形で、平面状に形成されており、接着剤等の接着手段を用いることにより、リム２７の内側部の裏面側に取り付けられる。
【００２１】
上記のような構成のノーズパッドにあっては、曲率の異なる複数の曲面１５〜２５を組み合わせて表面１４を構成することで、使用者の鼻の形状に合わせることができるため、鼻の形状の差にかかわらず、誰にでも快適な装用感が得られる。
【００２２】
さらに、ノーズパッド取付け部３の接着面１３の面積を小さく形成しているので、様々な形状のリム２７であっても、接着面１３がリム２７からはみ出すことなく、取り付けることが可能である。
【００２３】
さらに、ノーズパッド取付け部３がパッド本体２の長手方向に対して所定の角度をつけて形成されているので、この角度に応じてノーズパッド１自体がリム２７に対して取り付けられ、メガネフレームのデザインにとらわれることなく、パッド本体の角度調整や鼻幅の調整をすることができ、使用者に快適な装用感が得られる。
【００２４】
本発明のノーズパッドにおいては、特に実施の形態のものに限定せず、曲率の異なる複数の曲面と、リム２７と接着するための接着面１３とを組み合わせて形成するものであればよい。要は、どのような鼻の形状にでも合い、誰にでも快適な装用感が得られるものであればよい。
【００２５】
また、ノーズパッド取付け部３の接着面１３の形状においても特に実施の形態のものに限定せず、様々な形状のメガネフレーム２８のリム２７に対して、様々な角度でノーズパッド１を取り付けても、接着面１３がリム２７の幅内で接着可能な大きさと、形状であればよい。
【図面の簡単な説明】
【００２６】
【図１】ノーズパッドの平面図である。
【図２】ノーズパッドの正面図である。
【図３】ノーズパッドの左側面図である。
【図４】メガネフレームのフロント部の全体図である。
【符号の説明】
【００２７】
１  ノーズパッド
２  パッド本体
３  ノーズパッド取付け部
４、５、６、７、８、９、１０、１１、１２  曲面（平面）
１３  接着面
１４  表面
１５、１６、１７、１８、１９  曲面（正面）
２０、２１、２２、２３、２４、２５  曲面（側面）
２６  裏面
２７  リム
２８  メガネフレーム
２９  フロント部
３０  ブリッジ部
【図１】
2006208811.tif 000003
【図２】
2006208811.tif 000004
【図３】
2006208811.tif 000005
【図４】
2006208811.tif 000006